(57)【要約】【課題】読み取りの中断を挟んで、マークシートを複数回に分けて読み取る際の、読み取り、集計作業の作業性を改善したデータ集計装置を提供することを課題とする。【解決手段】マーク枠に所定の印がマークされたマークシートを、画像データとして読み取る読取部１２と、マークシートの画像データに基づいて、マークシートの回答結果を認識し、認識した結果を認識情報として得るＣＰＵ１１とを備えたデータ集計装置において、マークシートの読み取りが中断された場合に、中断直前までに得られたマークシートの認識情報をデータメモリ１６に保存するように構成される。【選択図】      図１
2004172821.tif 000002
【特許請求の範囲】
【請求項１】
設問と該設問に対する回答に相当する選択肢とを記載する設問欄と、前記選択肢を選択するためのマーク枠とが設けられ、前記マーク枠に所定の印がマークされたマークシートを、画像データとして読み取る読取部と、
前記読取部で読み取られた前記マークシートの画像データに基づいて、前記所定の印がマークされているマーク枠を判別し、前記マークシートの回答結果を認識し、認識した結果を認識情報として得る制御中枢部と、
前記制御中枢部で得られた認識情報に基づいて、前記マークシートの回答結果を集計して出力する出力部と
を備えたデータ集計装置において、
前記読取部による前記マークシートの読み取り処理が中断された場合に、中断直前までに前記読取部で読み取られて前記制御中枢部で得られた前記マークシートの認識情報を保存する記憶部
を有することを特徴とするデータ集計装置。
【請求項２】
前記出力部は、
設問と該設問に対する回答に相当する選択肢とを記載する設問欄と、前記選択肢を選択するために所定の印でマークするマーク枠とが設けられた前記マークシートを印刷して出力する
ことを特徴とする請求項１記載のデータ集計装置。
【請求項３】
前記制御中枢部は、
前記マークシートの読み取りの中断後に読み取りを再開した場合に、前記読取部で読み取った画像データが、以前に読み取った画像データか否かを判別し、以前に読み取った画像データである場合には、同じマークシートを重複して読み取ったと判断する
ことを特徴とする請求項１又は２記載のデータ集計装置。
【請求項４】
前記制御中枢部は、
前記読取部で読み取ったマークシートにおけるマーク枠の部分の画像データと、以前に前記読取部で読み取ったマークシートにおけるマーク枠の部分の画像データとの相関係数を計算し、前記相関係数が予め設定されたしきい値以上であるか否かを判別し、前記相関係数が前記しきい値以上である場合には、同じマークシートを重複して読み取ったと判断する
ことを特徴とする請求項３記載のデータ集計装置。
【請求項５】
前記記憶部は、
複数のブロックの前記認識情報を保存し、
前記制御中枢部は、
前記複数のブロックの認識情報の中から、外部から与えられる選択指示に基づいて、所望のブロックの前記認識情報を選択する
ことを特徴とする請求項１，２，３及び４のいずれか１項に記載のデータ集計装置。
【請求項６】
前記読取部は、
前記マークシートの読み取りが中断された後、前記マークシートの読み取りを再開する際に、読み取りを行う１枚のマークシートを読み取り、
前記制御中枢部は、
前記記憶部に保存された認識情報の中から、前記読取部が読み取った前記１枚のマークシートの種類と同じ種類のマークシートのブロックを検出し、同じ種類のブロックが一つである場合には、前記読取部により前記マークシートの読み取りを続けて行い、同じ種類のブロックが複数ある場合には、検出された複数のブロックの一覧の中から選択される
ことを特徴とする請求項５記載のデータ集計装置。
【請求項７】
前記制御中枢部は、
前記記憶部に保存された複数のブロックの認識情報の中から、最新のブロックの認識情報を自動的に選択する
ことを特徴とする請求項５記載のデータ集計装置。
【発明の詳細な説明】
【０００１】
【発明の属する技術分野】
本発明は、マークシートを利用して各種データを集計するデータ集計装置に関し、特にマークシートを複数回に分けて読み取る際の作業性を改善したデータ集計装置に関する。
【０００２】
【従来の技術】
従来、例えば試験、アンケート、選挙等のように、大量のデータを読み取り、集計する場合に、マークシートを使用したデータ集計装置が利用されている。このデータ集計装置では、読取装置においてマークシート上のマーク位置を特定するための印を読み取り、マークされているか否かを認識し、大量のデータを処理する。
【０００３】
このようなデータ集計装置で用いられるマークシートは、読取装置では白と判定されるような薄い色で、記入者がマークを行う枠や説明書き等が印刷されており、読取装置で黒と判定される色で、タイミングマークと呼ばれる上記枠の位置を特定する情報が印刷されている。また、マークシートは、読取装置で高速に位置ずれ、スキューずれが生じにくいように、普通紙よりも厚い上質紙が使われている。さらに、用紙の四隅のうち１つの角を切り落としてあり、用紙の方向を特定できるような仕組みも設けられている。
【０００４】
このように、マークシートは、その仕様（ＪＩＳで規格されている）がある程度特殊であるため、マークシートを読み取る読取装置もマークシート専用のものが用いられていた。また、マークシートのデザインや印刷及び集計作業等を行う際は、専門の業者に委託して行われる場合が多かった。
【０００５】
しかし、このような場合には、時間と経費が大幅に掛かってしまうといった不具合を招いていた。そこで、このような不具合を解消するために、複写機や孔版印刷機を利用して、マークシートの作成からデータ集計ならびに集計結果の出力を、１台の装置で行うことができるデータ集計装置が提供されている。
【０００６】
【特許文献１】
特開２００１−２８１９３８号公報（第６頁、段落番号（００５８））
【０００７】
【特許文献２】
特開平６−１２１１２７号公報
【０００８】
【発明が解決しようとする課題】
しかし、例えば複写機、孔版印刷機等の読取装置は、既存のマークシート読取装置のように高速ではなかったり、スキューずれ等の補正処理、マーク認識処理に時間がかかっていた。このため、多数枚のマークシートを読み取る場合には、多くの時間を要するという問題があった。また、マークシートの読み取りに多くの時間を要すると、複写機、孔版印刷機等の本来の使い方である、複写、印刷といった機能を使うのに支障をきたすおそれがあった。
【０００９】
例えば、Ａ４サイズの１枚のマークシートの読み取りに３秒の時間がかかるとすると、１００枚のマークシートを読み取るためには、５分の時間が必要になる。このため、マークシートを読み取っている間は、複写や印刷といった他の作業を行うことができず、複写や印刷を行いたい人はかなり待たされてしまうことになる。
【００１０】
このような場合に、マークシートの読み取りを一時的に中断して、複写や印刷を行い、複写や印刷が終了した後、再度マークシートの読み取りを続行することができれば、複写や印刷だけを行う人の待ち時間が発生しなくて済む。マークシートの読み取りを行う人は、複写や印刷を行う分だけ余計に時間はかかってしまうが、マークシートの読み取り作業は、もともと時間のかかるものだと思っているので、複写や印刷を行う程度の時間が増えてもあまり気にならない。
【００１１】
しかし、マークシート等の原稿の読み取りを行っている時に、用紙搬送ジャム等のトラブルが発生して、読み取りを一時中断する指示がなされた場合に、中断前までに読み取った原稿の情報を全て削除するような従来の技術（例えば特許文献１参照）では、発生したトラブルが解消して中断が解除された時に、中断前までに読み取ったマークシートも含めて再度全てのマークシートを読み取らなければならなかった。このため、マークシートの読み取り効率が極めて悪くなるといった不具合を招くことになる。
【００１２】
また、読み取りの中断を挟んで、マークシートを複数回に分けて読み取る場合に、一度読み取ったマークシートを再度読み取ってしまうという、二重読み取りが発生するおそれがあった。そこで、従来例えば特許文献２に記載されているような、マークシートに付けられたシリアル番号のような情報によりマークシートを識別して、二重読みとりを防止するような技術が提案されていた。しかし、このような技術においては、マークシートにシリアル番号等の識別情報が付けられたマークシートしか使用することができず、使用できるマークシートの用紙が限定されてしまうといった不具合を招いていた。
【００１３】
一方、読み取るマークシートが大量にある場合には、複写機や孔版印刷機の空き時間を利用して、複数回に分けて読み取りを行うことができれば、作業者にとって扱いやすい装置となる。しかし、複写機、孔版印刷機等の装置は複数人で共有して使われることが多く、複数人が複数回に分けてマークシートの読み取りを行う場合には、マークシートを読み取った複数の読み取りデータが存在することになり、これら複数の読み取りデータを選択する煩わしさを作業者になるべく与えないようにする必要があった。
【００１４】
そこで、本発明は、上記に鑑みてなされたものであり、その目的とするところは、読み取りの中断を挟んで、マークシートを複数回に分けて読み取る際の、読み取り、集計作業の作業性を改善したデータ集計装置を提供することにある。
【００１５】
【課題を解決するための手段】
上記目的を達成するために、請求項１記載の発明は、設問と該設問に対する回答に相当する選択肢とを記載する設問欄と、前記選択肢を選択するためのマーク枠とが設けられ、前記マーク枠に所定の印がマークされたマークシートを、画像データとして読み取る読取部と、前記読取部で読み取られた前記マークシートの画像データに基づいて、前記所定の印がマークされているマーク枠を判別し、前記マークシートの回答結果を認識し、認識した結果を認識情報として得る制御中枢部と、前記制御中枢部で得られた認識情報に基づいて、前記マークシートの回答結果を集計して出力する出力部とを備えたデータ集計装置において、前記読取部による前記マークシートの読み取り処理が中断された場合に、中断直前までに前記読取部で読み取られて前記制御中枢部で得られた前記マークシートの認識情報を保存する記憶部を有することを特徴とする。
【００１６】
上記請求項１記載の発明においては、読取部によるマークシートの読み取り処理が中断された場合に、中断直前までに読取部で読み取られて制御中枢部で得られたマークシートの認識情報を記憶部に保存するようにしているので、読み取りを中断し場合に、読み取り済みのマークシートを再度読み取らせる必要はなくなり、まだ読み取っていないマークシートのみを追加して読み取るようにしている。
【００１７】
請求項２記載の発明は、請求項１記載の発明において、前記出力部は、設問と該設問に対する回答に相当する選択肢とを記載する設問欄と、前記選択肢を選択するために所定の印でマークするマーク枠とが設けられた前記マークシートを印刷して出力することを特徴とする。
【００１８】
上記請求項２記載の発明においては、集計結果を出力する出力部からマークシートを印刷出力し、マークシートを容易に入手できるようにしている。
【００１９】
請求項３記載の発明は、請求項１又は２記載の発明において、前記制御中枢部は、前記マークシートの読み取りの中断後に読み取りを再開した場合に、前記読取部で読み取った画像データが、以前に読み取った画像データか否かを判別し、以前に読み取った画像データである場合には、同じマークシートを重複して読み取ったと判断することを特徴とする。
【００２０】
上記請求項３記載の発明においては、マークシートの読み取りを中断して、再開する場合に、以前読み取ったマークシートが再度読み取られないようにして、同じマークシートが重複して読み取られることを防止している。
【００２１】
請求項４記載の発明は、請求項３記載の発明において、前記制御中枢部は、前記読取部で読み取ったマークシートにおけるマーク枠の部分の画像データと、以前に前記読取部で読み取ったマークシートにおけるマーク枠の部分の画像データとの相関係数を計算し、前記相関係数が予め設定されたしきい値以上であるか否かを判別し、前記相関係数が前記しきい値以上である場合には、同じマークシートを重複して読み取ったと判断することを特徴とする。
【００２２】
上記請求項４記載の発明においては、マーク枠の画像データに基づいて算出された相関係数にしたがって、マークシートの重複読み取りを判別するようにしている。
【００２３】
請求項５記載の発明は、請求項１，２，３及び４のいずれか１項に記載の発明において、前記記憶部は、複数のブロックの前記認識情報を保存し、前記制御中枢部は、前記複数のブロックの認識情報の中から、外部から与えられる選択指示に基づいて、所望のブロックの前記認識情報を選択することを特徴とする。
【００２４】
上記請求項５記載の発明においては、保存されている複数のブロックの認識結果の中から、所望のブロックの認識結果を選択できるようにしている。
【００２５】
請求項６記載の発明は、請求項５記載の発明において、前記読取部は、前記マークシートの読み取りが中断された後、前記マークシートの読み取りを再開する際に、読み取りを行う１枚のマークシートを読み取り、前記制御中枢部は、前記記憶部に保存された認識情報の中から、前記読取部が読み取った前記１枚のマークシートの種類と同じ種類のマークシートのブロックを検出し、同じ種類のブロックが一つである場合には、前記読取部により前記マークシートの読み取りを続けて行い、同じ種類のブロックが複数ある場合には、検出された複数のブロックの一覧の中から選択されることを特徴とする。
【００２６】
上記請求項６記載の発明は、マークシートの読み取りの中断後に読み取りを再開して追加読み取りを行う際に、追加読み取りを行うマークシートと異なる種類のものは選択肢から排除し、ユーザは容易に所望の認識結果を選択できるようにしている。
【００２７】
請求項７記載の発明は、請求項５記載の発明において、前記制御中枢部は、前記記憶部に保存された複数のブロックの認識情報の中から、最新のブロックの認識情報を自動的に選択することを特徴とする。
【００２８】
上記請求項７記載の発明においては、マークシートの読み取りの中断後に読み取りを再開して追加読み取りを行う際に、中断直前の認識結果を選択できるようにしている。
【００２９】
【発明の実施の形態】
以下、本発明の実施形態を図面に基づいて説明する。
【００３０】
図１は本発明の第１の実施形態に係るデータ集計装置の構成を示す図である。図１において、この実施形態のデータ集計装置は、ＣＰＵ１１、読取部１２、出力部１３、プログラムメモリ１４、作業メモリ１５、データメモリ１６ならびに操作部１７を備え、これらの構成要素がシステムバス１８を介して有機的に接続されて構成されている。
【００３１】
ＣＰＵ１１は、装置全体の動作処理を制御する制御中枢部として機能し、ユーザの操作に対する応答、データの入出力ならびにマークシートの読み取り、認識集計処理等の処理を制御する。読取部１２は、マークシートを読み取り、読み取った結果を画像データとして出力する。出力部１３は、読取部１２で読み取られたマークシートの情報を認識した認識結果を印刷、あるいは表示して出力する。また、出力部１３は、マークシートの設問と、この設問に対する回答に相当する選択肢とを記載する設問欄と、選択肢を選択するために所定の印でマークするマーク枠とが設けられたマークシートを印刷する。
【００３２】
プログラムメモリ１４は、ＣＰＵ１１が実行する各種の処理プログラムを格納するメモリである。作業メモリ１５は、ＣＰＵ１１が各種処理を実行する際に、一時的にデータを記憶するメモリであり、例えば揮発性メモリのＲＡＭにより構成される。データメモリ１６は、読取部１２で読み取られたマークシートの画像データ、ならびにこの画像データからマークシートに記載された情報を認識したマークシートの認識結果を記憶し、さらにＣＰＵ１１が実行する各種処理プログラムで使用されるメモリ領域として用いられ、例えばハードディスク等の不揮発性メモリで構成される。
【００３３】
操作部１７は、マークシートの読み取り処理や、各種設定の変更等、ユーザがこの装置に対して様々な操作を行うものである。
【００３４】
次に、図１に示す装置における、マークシートの読み取り処理を、図２のフローチャートを参照して説明する。
【００３５】
まず、ステップＳ２０１では、この読み取り処理を開始する前の処理として、この読み取り処理を開始する以前に、読み取ったマークシートの認識結果があり、認識結果がデータメモリ１６に保存されている場合に、その保存されている認識結果を作業メモリ１５に読み込むか否かを判断する。判断結果において、認識結果がデータメモリ１６に保存されており、かつ読み込みを実行する場合には、ステップＳ２０２に進む。一方、判断結果において、認識結果がデータメモリ１６に保存されておらず、又は保存されているが読み込みを実行しない場合には、ステップＳ２０３に進む。
【００３６】
次に、ステップＳ２０２では、データメモリ１６に保存された認識結果、あるいは認識結果が複数ブロックある場合には指定されたブロックの認識結果をデータメモリ１６から作業メモリ１５に読み込む。
【００３７】
次に、ステップＳ２０３では、マークシートの読み取りを開始し、マークシート１枚分の読み取りを行う。読み取った結果は、ＣＰＵ１１で処理可能な画像データとして作業メモリ１５に記憶される。
【００３８】
次に、ステップＳ２０４では、マークシートの読み取り作業の途中で、ジャムが発生したか否かを判断する。判断結果において、ジャムが発生している場合には、ステップＳ２０５に進む。一方、ジャムが発生していない場合には、ステップＳ２０６に進む。
【００３９】
次に、ステップＳ２０５では、読み取ったマークシートの認識処理が完了している分に関して、作業メモリ１５に記憶された認識結果をデータメモリ１６に保存する。ステップＳ２０２で認識結果の読み込みを実行している場合には、この読み込んだ認識結果も含めて、次回の読み取り動作の時に読込み可能な認識結果として保存する。なお、データメモリ１６に保存される認識結果は、自動的に読み取った日時等により区別してもよいし、あるいはユーザがその都度認識結果のデータ名を決めてもよい。
【００４０】
一方、ステップＳ２０６では、まずステップＳ２０３で得られたマークシートの画像データに基づいて、マークシートのマーク枠が塗り潰されているか否かを判別する。例えば図３に示すように、マークシートの上下左右にマーク位置を特定するための印３１（以後、タイミングマークと呼ぶ）を設けたマークシートを用いた場合には、読み取った画像データからタイミングマーク３１の位置を検出する処理を行う。続いて、検出されたタイミングマーク３１にしたがってマーク枠の読み取り領域を決定する。読み取り領域が決まると、この領域中の黒画素率や、ヒストグラム情報等に基づいて、いずれのマーク枠が塗り潰されているか否かを判別する。このような処理を行うことにより、マークシートに記載された情報を読み取って認識し、認識結果として作業メモリ１５に記憶する。この時、ステップＳ２０２で過去の認識結果を作業メモリ１５に読み込んだ場合には、読み込んだ認識結果に連続させて作業メモリに１５に記憶する。
【００４１】
次に、ステップＳ２０７では、マークシートの読み取り、認識処理を行っている途中で、操作部１７を介して外部から中断の指示がなされたか否かを判断する。判断の結果、中断が指示されている場合には、先に説明したステップＳ２０５に進む。一方、中断が指示されていない場合には、ステップＳ２０８に進む。
【００４２】
次に、ステップＳ２０８では、まだ読取部１２で画像データを読み取っていないマークシートがあるか否かを判断する。判断結果において、読み取っていないマークシートがあれば、先に説明したステップＳ２０３に戻り、ステップＳ２０３〜ステップＳ２０８の処理を行い、マークシートの読み取り、認識処理を行う。一方、読み取っていないマークシートがない場合、すなわち今回の読み取り作業においてすべてのマークシートを読み取った場合には、ステップＳ２０９に進む。
【００４３】
次に、ステップＳ２０９では、作業メモリ１５に記憶された一連の認識結果に基づいて、マークシートの認識処理で認識した各マークシートの塗り潰し状況に応じて、認識結果を集計する。例えば、アンケート形式のマークシートであれば、各設問の各選択肢毎に、マークが塗り潰された回数を合計したようなデータを作成する。
【００４４】
最後に、ステップＳ２１０では、ステップＳ２０９で得られた集計結果を、例えば表やグラフ等で印刷して出力部１３から出力する。あるいは、パネル等の表示装置からなる出力部１３に、表やグラフ等で表された集計結果を出力する。
【００４５】
以上説明したように、上記第１の実施形態においては、マークシートの読み取りの途中においてマークシートの読み取りが中断された場合には、それまで読み取ったマークシートの認識結果をデータメモリ１６に保存するようにしたので、中断後に読み取りを再開した場合に、中断前に読み取ったマークシートを再度読み取る必要はなくなる。これにより、まだ読み取っていないマークシートのみを追加して読み取ればよいので、読み取り時間が短縮され、読み取り効率を向上させることができる。
【００４６】
また、データ集計装置に複写や印刷の機能を備えたデータ集計装置、あるいはマークシートを読み取り、認識して集計するデータ集計機能を備えた複写機や印刷機において、多枚数のマークシートを読み取る途中で、読み取りを中断して複写や印刷を行う場合でも、すべてのマークシートの読み取りが完了するまで待つ必要がなくなる。すなわち、マークシートの読み取りの途中で、読み取りを中断し、複写や印刷を行うことが可能となる。これにより、マークシートの読み取りと、複写や印刷等の処理を効率的に行うことができる。
【００４７】
次に、本発明の第２の実施形態を説明する。
【００４８】
この第２の実施形態の特徴とするところは、前述した第１の実施形態に対して、マークシートの追加読み取り行った際に、以前に読み取ったマークシートであるか否かを判別する機能を備えたことにあり、他は先に説明した第１の実施形態と同様である。
【００４９】
次に、この第２の実施形態における処理動作を、図４のフローチャートを参照して説明する。
【００５０】
まず、ステップＳ４０１では、追加読み取りを行う前に読み取って認識済みの任意の１枚分のマークシートと照合を行い、全設問の回答が同じであるか否かを判別する。判別結果において、全設問の回答が同じである場合には、ステップＳ４０２に進む。一方、一つでも異なる回答がある場合には、ステップＳ４０８に進む。
【００５１】
次に、ステップＳ４０２では、マークシート中に、氏名記入欄、一言コメント欄等の手書きの記入部分が存在し、それらの部分の画像データがデータメモリ１６に保存されているか否かを判別する。判別結果において、手書き記入部分の画像データが保存されている場合には、ステップＳ４０３に進む。一方、手書き記入部分の画像データが保存されていない場合には、ステップＳ４０５に進む。
【００５２】
次に、ステップＳ４０３では、今回読み取りを行ったマークシートの手書き記入部分の画像データと、照合したマークシートの、保存してある手書き記入部分の画像データとの相関係数を計算する。一般に、相関係数は、−１．０〜１．０の範囲となる数値であり、−１．０の時が負の相関、０．０の時が全く相関が無い、１．０の時が相関を表す。画像データにおいては、相関係数が−１．０で１８０°回転画像、０．０で全く異なる画像、１．０は全く同一の画像を表す。
【００５３】
次に、ステップＳ４０４では、ステップＳ４０３で計算された相関係数が、予め設定されたしきい値以上か否かを判別する。判別結果において、相関係数がしきい値以上である場合には、ステップＳ４０５に進む。一方、相関係数がしきい値未満である場合には、ステップＳ４０８に進む。
【００５４】
マークシートを読み取る際に、マークシートの傾き、位置、読取部１２を構成するＣＣＤの誤差等があるため、同じマークシートを読み取った場合でも完全に同一の画像にはならない。これらのことを考慮して、上記しきい値の設定は、例えば０．５（０．５でもかなり相関がある画像である）〜１．０程度の間に設定し、読み取りの状況に応じて適宜決めればよい。
【００５５】
次に、ステップＳ４０５では、今回読み取ったマークシートの画像データにおけるマーク枠を塗りつぶしたマーク塗り潰し画像と、予めデータメモリ１６に保存されている以前読み取ったマークシートのマーク塗り潰し画像との相関係数を、設問毎に計算する。ここで、相関係数を計算するのは、塗り潰したマークに限り、計算に用いる画像には不必要な余白を含まないようにする。これは、余白が多いと、マーク塗り潰し部分以外の余白部分で相関係数が高く計算されてしまうためである。マーク枠の塗り潰しでは、マーク枠がほとんど同じように塗り潰されると思われがちであるが、塗り潰され方は、例えば図５に示すように、様々である。しかし、３００ｄｐｉ  程度の高精度のスキャナを用いれば、図５に示すようなマークの塗り潰し方であっても、異なるものと判定することは可能である。
【００５６】
次に、ステップＳ４０６では、ステップＳ４０５で計算された相関係数がしきい値以上であるか否かを判断する。判断結果において、相関係数がしきい値以上である場合には、ステップＳ４０７に進む。一方、相関係数がしきい値未満である場合には、ステップＳ４０８に進む。ここで、マーク塗り潰し部分におけるしきい値の設定方法であるが、上述した手書き記入部分に比べ、マーク塗り潰し部分の画像は類似したものになる可能性が高い。そのため、手書き記入部分に比べて多少大きなしきい値に設定する。また、相関係数の計算は設問毎に行うため、１問でも相関係数がしきい値未満のものがあれば、マークシート全体としての判定はしきい値未満であったものと判断する。
【００５７】
次に、ステップＳ４０７では、設問の選択肢、手書き記入部分の画像データ（存在する場合に限る）、マーク塗り潰し画像の全てを判定した結果、同じであるマークシートが保存データ中に存在するため、今回読み取ったマークシートは保存データと重複すると判定する。
【００５８】
次に、ステップＳ４０８では、今回読み取ったマークシートのデータと、以前に読み取られてデータメモリ１６に保存されたすべての画像データが照合されたか否かを判断する。判断結果において、照合されていない画像データがある場合にはステップＳ４０１に戻り、照合されていない画像データに対して上述したステップＳ４０１〜ステップＳ４０７の処理を行う。一方、照合されていないデータがない場合、すなわちすべての画像データと照合された場合には、ステップＳ４０９に進む。
【００５９】
最後に、ステップＳ４０９では、すべての保存されたマークシートと今回読み取ったマークシートを比較して、それぞれ設問の選択肢、手書き記入画像（存在する場合に限る）、マーク塗り潰し画像の何れかが異なるものであったため、今回読み取られたマークシートは、まだ読み取られていない新規のものと判定する。
【００６０】
このように、上記第２の実施形態においては、マークシートの読み取りを中断して、読み取りを再開した時に、誤って以前読み取ったマークシートを再度読み取らせようとした場合に、手書き記入部分やマーク枠の画像データに基づいて計算された相関係数を用いて、以前に読み取ったマークシートか否かを判定するようにしているので、以前に読み取ったマークシートを再度読み取ることは防止される。これにより、マークシートが二重に読み取られて集計に反映されることは回避され、データを正確に集計することができる。
【００６１】
また、マークシートの各設問のマーク塗り潰し画像の相関係数を計算し、計算された相関係数が設定されたしきい値以上である場合には、同じマークシートを重複して読み取ったものと判定するので、判定のための特別な情報、例えばシリアルナンバ等をマークシートに付加する必要がなくなる。
【００６２】
次に、本発明の第３の実施形態を説明する。
【００６３】
この第３の実施形態の特徴とするところは、前述した第１又は第２の実施形態に対して、図２のステップＳ２０２に示す、データメモリ１６に保存された認識結果を作業メモリ１５に読み込む処理において、保存された認識結果のブロックが多く存在する場合に、所望のブロックの認識結果を容易に選択できるようにしたことにあり、他は第１又は第２の実施形態と同様である。
【００６４】
上述したこの第３の実施形態の特徴を実現するために、図１に示す操作部１７の画面を図６に示すように構成し、操作画面から与えられる指示に従って、ＣＰＵ１１が認識結果を選択する処理を実行する。
【００６５】
図６において、それぞれの保存データ選択画面６１〜６３の上部にある３つの選択肢、「全てのデータを表示」、「シートの種類が同じもののみを表示」、「最新の保存データに追加」により、ユーザは保存データ（認識結果）のいずれを表示するかを選択する。図６においては、太い実線が選択されたものを表し、細い破線が非選択を表している。
【００６６】
保存データ選択画面６１の「全てのデータを表示」が選択された場合には、図６に示すように、すべての保存データが表示される。選択画面には、それぞれの保存データ毎に、シリアルナンバー、保存された日付、マークシートのタイプ（種類、例えばＡ、Ｂ、Ｃ）ならびに枚数が表示される。この表示を参照して、ユーザは保存データを選択する。
【００６７】
保存データ選択画面６２の「シート種類が同じもののみを表示」が選択された場合には、今回読み取ろうとするマークシートと同じ種類の保存データのみを一覧で表示する。なお、マークシートの種類を調べる方法としては、マークシートの読み取りを行う前に、例えば今回読み取ろうとするマークシートを１枚先に読み込ませ、マークシートの種類をＣＰＵ１１で解析するようにすればよい。図６の保存データ選択画面６２の例では、追加読み取りを行うシートタイプは「Ａ」であり、その他のシートタイプ（Ｂ、Ｃ）は表示されない。この選択画面６２では、追加読み取りを行う際に、保存データが多数存在する場合であっても、追加読み取りを行うマークシートと異なるタイプのものは選択肢から排除されるので、ユーザは容易に所望の保存データを選択することができる。
【００６８】
保存データ選択画面６３の「最新の保存データに追加」が選択された場合には、最も新しい保存データのみが表示される。「最新の保存データに追加」を選んだ時点で、ファイルの選択を自動で行い、直ちにマークシートの読み取り動作を開始してもよい。この選択画面６３は、ジャム等でマークシートの読み取りが停止したり、複写や印刷等の別の処理を一時的に行うために、マークシートの読み取り動作を一時的に中断した場合等に使用すると便利である。すなわち、多数のブロックの保存データの中から所望のブロックの保存データを選択するという煩わしさは回避され、中断前の保存データを容易に選択できる。これにより、中断後直ちにマークシートの読み取りを再開することができる。
【００６９】
図７は孔版印刷装置に、上述した実施形態のデータ集計装置の機能を備えた場合の一構成例を示す図である。
【００７０】
図７において、孔版印刷装置は、図１に示す読取部１２に相当し、さらに印刷原稿を読み取り、ＡＤＦ（自動原稿読み取り装置）が付加される場合も想定される読取部７１、読取部７１で読み取った画像データに基づいて孔版原紙を製版する製版部７２、使用済みの孔版原紙を廃棄する排版部７３、製版部７２で製版された孔版原紙を用いて印刷用紙に印刷する印刷部７４、印刷部７４に印刷用紙を給紙する給紙部７５、印刷部７４で印刷された印刷用紙を排出する排紙部７６、図１に示すＣＰＵ１１に相当し、さらに孔版印刷の処理全体も制御するシステム制御部７７、図１に示す作業メモリ１５に相当するシステム作業メモリ７８、図１に示すデータメモリ１６に相当する認識結果記憶部７９、ならびに図１に示す操作部１７に相当し、さらに孔版印刷を行うための各種操作指示も入力する操作部８０を備えて構成されている。
【００７１】
このような構成の孔版印刷装置においては、上記第１〜第３の実施形態で得られる効果と同様の効果を得ることが可能である。
【００７２】
【発明の効果】
以上説明したように、請求項１記載の発明によれば、マークシートの読み取りの中断直前の認識結果を記憶部に保存するようにしたので、中断後に読み取りを再開した場合に、読み取り済みのマークシートを再度読み取らせる必要はなくなる。これにより、読み取り時間が短縮され、読み取り効率を向上させることができる。
【００７３】
請求項２記載の発明によれば、集計結果を出力する出力部からマークシートを印刷出力し、マークシートを容易に入手することができる。
【００７４】
請求項３記載の発明によれば、マークシートの読み取りを中断して、再開する場合に、以前読み取ったマークシートが再度読み取られないようにして、同じマークシートが重複して読み取られることを防止することができる。
【００７５】
請求項４記載の発明によれば、マーク枠の画像データに基づいて算出された相関係数にしたがって、マークシートの重複読み取りを判別するようにしているので、マークシートに判別のための情報を付加する必要がなくなる。
【００７６】
請求項５記載の発明によれば、保存されている複数のブロックの認識結果の中から、所望のブロックの認識結果を容易に選択することができる。
【００７７】
請求項６記載の発明によれば、マークシートの読み取りの中断後に読み取りを再開して追加読み取りを行う際に、追加読み取りを行うマークシートと異なる種類のものは選択肢から排除するようにしたので、所望の認識結果をさらに容易に選択することができる。
【００７８】
上記請求項７記載の発明においては、マークシートの読み取りの中断後に読み取りを再開して追加読み取りを行う際に、中断直前の認識結果を選択するようにしているので、読み取りを直ちに再開することができる。
【図面の簡単な説明】
【図１】本発明の第１の実施形態に係るデータ集計装置の構成を示す図である。
【図２】本発明の第１の実施形態の処理を示すフローチャートである。
【図３】マークシートのタイミングマークを示す図である。
【図４】本発明の第２の実施形態の処理を示すフローチャートである。
【図５】マークシートのマーク枠の塗り潰し例を示す図である。
【図６】操作部における選択画面を示す図である。
【図７】本発明を孔版印刷装置に適用した場合の構成を示す図である。
【符号の説明】
１１  ＣＰＵ
１２，７１  読取部
１３  出力部
１４  プログラムメモリ
１５  作業メモリ
１６  データメモリ
１７，８０  操作部
３１  タイミングマーク
６１，６２，６３  保存データ選択画面
７２  製版部
７３  排版部
７４  印刷部
７５  給紙部
７６  排紙部
７７  システム制御部
７８  システム作業メモリ
７９  認識結果記憶部
【図１】
2004172821.tif 000003
【図２】
2004172821.tif 000004
【図３】
2004172821.tif 000005
【図４】
2004172821.tif 000006
【図５】
2004172821.tif 000007
【図６】
2004172821.tif 000008
【図７】
2004172821.tif 000009